(57)【要約】【課題】ＤＮＡアレイチップ、プロテインアレイチップ等により一旦バインディングされた試料（生体分子）を他の分析等に利用できるように回収する。【解決手段】  特定の条件（光照射等）により開裂する部位を有するリンカー分子を用いて、基板とプローブ分子（抗体等）とを結合させる。バインディングアッセイ後は、リンカー分子が開裂する条件を与えて、標的分子（タンパク等）を脱離させ回収する。回収した生体分子は、他の分析、アプリケーションに使用できる。なお、特定の条件で開裂するプローブ分子を用いてもよい。【選択図】図１
2006084216.tif 000002
【特許請求の範囲】
【請求項１】
担体に結合する部位と、
特定の条件で開裂する官能基を有する開裂部位と、
分析対象の有機分子と反応して結合する部位とを有する分子が固定化された有機分子分析用担体。
【請求項２】
担体に結合する部位と、特定の条件で開裂する官能基を有する開裂部位と、分析対象の有機分子と反応して結合する部位とを有する分子が固定化された有機分子分析用担体に、前記分析対象の有機分子の固定化を試みた後、前記開裂部位が開裂する条件を与えることにより、前記有機分子の回収を行う分析方法。
【請求項３】
担体にリンカー分子を固定化し、前記リンカー分子にプローブ分子を結合させ、
前記プローブ分子に分析対象の有機分子の結合を試みる分析方法において、
前記リンカー分子は、特定の条件が与えられると開裂する部位を有し、
前記プローブ分子に分析対象の有機分子の結合が試みられた後、前記リンカー分子が開裂する条件を与えることにより、前記分析対象の有機分子を回収することを特徴とする分析方法。
【請求項４】
請求項３において、
前記リンカー分子は、光照射により開裂する部位を有し、
前記回収は、光照射により行うことを特徴とする分析方法。
【請求項５】
担体に、特定の条件が与えられると開裂する部位を有するリンカー分子を固定化する装置と、
前記リンカー分子にプローブ分子を結合させる装置と、
前記プローブ分子に分析対象の有機分子の結合を試みる装置と、
前記リンカー分子が開裂する条件を与えることにより、前記分析対象の有機分子を回収する装置とを有することを特徴とする分析システム。
【請求項６】
担体にリンカー分子を固定化し、前記リンカー分子にプローブ分子を結合させ、
前記プローブ分子に分析対象の有機分子の結合を試みる分析方法において、
前記プローブ分子は、特定の条件が与えられると開裂する部位を有し、
前記プローブ分子に分析対象の有機分子の結合が試みられた後、前記プローブ分子が開裂する条件を与えることにより、前記分析対象の有機分子を回収することを特徴とする分析方法。
【請求項７】
請求項６において、
前記プローブ分子は、光により開裂することを特徴とする分析方法。
【請求項８】
請求項２、３、４、６及び７のいずれか一項において、
前記有機分子分析用担体は、ＤＮＡマイクロアレイ、プロテインアレイまたはペプチドアレイであることを特徴とする分析方法。
【発明の詳細な説明】
【技術分野】
【０００１】
本発明は、核酸、タンパク質等の生体分子の分析および回収方法に関する。
【背景技術】
【０００２】
ＤＮＡチップ（ＤＮＡマイクロアレイ）やプロテインチップ等のアレイチップをツールとして、生体分子を網羅的、包括的に分析する方法が多用されている。これらは、生体分子の本来有する選択的な結合特異性を利用するバインディングアッセイであり、位置情報を信号の種類情報とする多項目同時分析の手法である（特許文献１等参照）。
【０００３】
【特許文献１】特表平３−５０５１５７号
【発明の開示】
【発明が解決しようとする課題】
【０００４】
しかし、このような方法では、一旦アレイチップにバインディングされた試料を回収することはできない。例えば、試料を、アレイチップにより定性分析した後、他の分析（例えば定量分析）に用いたい場合や、他のアプリケーションに用いたい場合がある。従来のように、試料を回収できないのでは、これらの要求に答えられない。重要なタンパク質は、量が少ないものが多く、特に不都合となる。
本発明は上記事情に鑑みてなされたものであり、その目的は、アレイチップ等によるバインディングアッセイ後、試料を回収できるようにすることにある。
【課題を解決するための手段】
【０００５】
上記課題を解決すべく請求項１に係る発明によれば、担体に結合する部位と、特定の条件で開裂する官能基を有する開裂部位と、分析対象の有機分子と反応して結合する部位とを有する分子が固定化された有機分子分析用担体が提供される。
【０００６】
また、請求項２に係る発明によれば、担体に結合する部位と、特定の条件で開裂する官能基を有する開裂部位と、分析対象の有機分子と反応して結合する部位とを有する分子が固定化された有機分子分析用担体に、前記分析対象の有機分子の固定化を試みた後、前記開裂部位が開裂する条件を与えることにより、前記有機分子の回収を行う分析方法が提供される。
【０００７】
また、請求項３に係る発明によれば、担体にリンカー分子を固定化し、前記リンカー分子にプローブ分子を結合させ、前記プローブ分子に分析対象の有機分子の結合を試みる分析方法において、前記リンカー分子は、特定の条件が与えられると開裂する部位を有し、前記プローブ分子に分析対象の有機分子の結合が試みられた後、前記リンカー分子が開裂する条件を与えることにより、前記分析対象の有機分子を回収することを特徴とする分析方法が提供される。
【０００８】
また、請求項４に係る発明によれば、請求項３において、前記リンカー分子は、光照射により開裂する部位を有し、前記回収は、光照射により行うことを特徴とする分析方法が提供される。
【０００９】
また、請求項５に係る発明によれば、担体に、特定の条件が与えられると開裂する部位を有するリンカー分子を固定化する装置と、前記リンカー分子にプローブ分子を結合させる装置と、前記プローブ分子に分析対象の有機分子の結合を試みる装置と、前記リンカー分子が開裂する条件を与えることにより、前記分析対象の有機分子を回収する装置とを有することを特徴とする分析システムが提供される。
【００１０】
また、請求項６に係る発明によれば、担体にリンカー分子を固定化し、前記リンカー分子にプローブ分子を結合させ、前記プローブ分子に分析対象の有機分子の結合を試みる分析方法において、前記プローブ分子は、特定の条件が与えられると開裂する部位を有し、前記プローブ分子に分析対象の有機分子の結合が試みられた後、前記プローブ分子が開裂する条件を与えることにより、前記分析対象の有機分子を回収することを特徴とする分析方法が提供される。
【００１１】
また、請求項７に係る発明によれば、請求項６において、前記プローブ分子は、光により開裂することを特徴とする分析方法が提供される。
【００１２】
また、請求項８に係る発明によれば、請求項２，３，４，６及び７のいずれか一項において、
前記有機分子分析用担体は、ＤＮＡマイクロアレイ、プロテインアレイまたはペプチドアレイであることを特徴とする分析方法が提供される。
【発明の効果】
【００１３】
本発明によれば、アレイチップ等によりバインディングされた試料を回収する技術が提供される。
【発明を実施するための最良の形態】
【００１４】
以下に、本発明の分析方法の一実施形態について説明する。
【００１５】
＜第一の実施形態＞  図１は、第一の実施形態にかかる分析方法について説明するための図であり、アレイチップの基板表面の拡大模式図である。図示するように、本実施形態の分析方法は、下記のステップからなる。
【００１６】
（１）基板１００の表面に、基板１００とプローブ分子３００とを結びつけるリンカー分子２００を固定化するステップ
（２）リンカー分子２００に、プローブ核酸や抗体等のプローブ分子３００を固定化するステップ
（３）プローブ分子３００に、標識化ＤＮＡやタンパク質等の標的分子（評価対象分子）４００の結合を試みるステップ
（４）リンカー分子２００を開裂させることにより、標的分子４００を回収するステップ
以下、それぞれのステップについて詳細に説明する。
【００１７】
＜ステップ（１）＞  まず、基板１００の表面に、基板１００とプローブ分子３００とを結びつけるリンカー分子２００を固定化するステップについて説明する。
【００１８】
担体となる基板１００としては、ガラス、シリカ（ＳｉＯ２）、シリコンウエハ、アルミナ（Ａｌ２Ｏ３）、タルク、クレー、アルミニウム、鉄、マイカ、アスベスト、酸化チタン、酸化鉄、石英等が挙げられる。これらの中でも、ガラス、シリコンウエハ等の表面にシラノール基を有するものが好ましい。なお、シリコンウエハは、自然酸化膜が形成されていればシラノール基を表面に有するが、熱酸化処理することにより、表面にシラノール基を形成させることもできる。また、窒化珪素膜を表面に有するシリコンウエハを用いることもできる。
【００１９】
また、担体の形状は、板状に限られず、用途に応じて適宜選択できる。例えば、シート状、ハニカム状、ファイバー状、ビーズ状、粉状等であってもよい。
【００２０】
リンカー分子２００は、基板１００とプローブ分子３００とに結合可能であり、かつ、光照射や特定の化合物を作用させることにより、開裂するものであればよい。すなわち、リンカー分子２００は、その分子構造として、基板１００との結合部２１０と、開裂可能な架橋部２２０と、有機分子であるプローブ分子３００との結合部２３０とを有するものであればよい。
【００２１】
このようなリンカー分子２００において、基板１００との結合部２１０となりうる官能基としては、シラノール基と反応するトリメトキシシリル基、トリクロロシリル基等が挙げられる。
【００２２】
プローブ分子３００との結合部２３０となりうる官能基としては、アミノ基と反応性が高いスクシンイミジル基等の活性エステル基等、チオール基と反応性が高いマレイミド基等が挙げられる。
【００２３】
リンカー分子２００の開裂可能な部位２２０の官能基としては、光照射で開裂する官能基として、ニトロベンジルエステル基、ニトロベンジルエーテル基、ニトロベンジルチオエーテル基、ニトロベンジルカルバモイル基等が挙げられる。
【００２４】
また、他の開裂可能な官能基としては、
ジスルフィド基（―Ｓ−Ｓ−：例えば、２−メルカプトエタノール、ジチオレイトール等の還元剤（１０〜１００ｍＭ）の存在下、ｐＨ７〜９、２５〜３７℃、５〜３０分で開裂。）、
グリコール基（−ＣＨ（ＯＨ）−ＣＨ（ＯＨ）−：例えば、１５ｍＭ  ＮａＩＯ４とともに、ｐＨ７．５で２５℃、４〜５時間保持することで開裂。）、
アゾ基（−Ｎ＝Ｎ−：例えば、０．１Ｍ  Ｎａ２Ｓ２Ｏ４とともに、０．１Ｍ  ＮａＨＣＯ３（ｐＨ８．０）−０．１５Ｍ  ＮａＣｌ中、室温で２５分保持することで開裂。）、
スルホン基（−ＳＯ２−：例えば、０．１Ｍ  Ｎａ２ＨＰＯ４−トリス緩衝液（ｐＨ１１．６）−６Ｍ尿素―０．１％ＳＤＳ−２ｍＭ  ジチオトレイトール中、３７℃で２時間保持することで開裂。）、
エステル（−ＣＯ２−：１Ｍ  ヒドロキシルアミンを用い、５０ｍＭ、トリス緩衝液（ｐＨ７．５〜８．５）−２５ｍＭ  ＣａＣｌ２−１ｍＭベンズアミン中、２５〜３７℃で３〜５時間保持することで開裂。）、
オルトエステル（ｐＨ６．４で１〜３時間保持することで開裂。）等が挙げられる。
【００２５】
リンカー分子２００の固定化方法は、基板１００の種類や固定化するリンカー分子２００の種類により異なる。なお、一段階でリンカー分子２００を固定化してもよいし、複数段階で固定化してもよい。
【００２６】
例えば、表面にシラノール基を有する基板に、アミノ基と反応性が高いスクシンイミジル基を有しかつ光照射により開裂するニトロベンジルチオエーテル基を有するリンカー分子を固定化する場合、以下のようにして行う。
【００２７】
まず、シラノール基を表面に有する基板（例えば、ガラス基板）に、メルカプトメチルジメチルエトキシラン、３−メルカプトプロピルトリメトキシシラン等のチオ−ル基を有するシランカップリング剤にて、基板表面にチオール基を形成させる。
【００２８】
次に、チオール基と反応性の高い２−ニトロベンジルブロマイド基を有するスクシンイミジル−４−ブロモメチル−３−ニトロベンゾエート（ＢＮＢＡ−Ｏｓｕ）を作用させて、表面にスクシンイミジル基を形成させる。または、シランカップリング剤とＢＮＢＡ−Ｏｓｕを反応させた後、生成物を基板表面に作用させる。
【００２９】
なお、ＢＮＢＡ−Ｏｓｕのほかに、スクシンイミジル−４−（４−ブロモメチル−３−ニトロベンジル）アミノブチレート（ＢＮＢＡＣ３−Ｏｓｕ）、スルホスクシンイミジル−４−（４−ブロモメチル−３−ニトロベンジル）アミノブチレートのナトリウム塩（ＢＮＢＡＣ３sulfo−Ｏｓｕ）、スクシンイミジル−６−（４−ブロモメチル−３−ニトロベンジル）アミノヘキサノエート（ＢＮＢＡＣ５−Ｏｓｕ）、スルホスクシンイミジル−６−（４−ブロモメチル−３−ニトロベンジル）アミノヘキサノエートのナトリウム塩（ＢＮＢＡＣ５sulfo−Ｏｓｕ）等を用いることもできる。
【００３０】
なお、開裂条件が異なる複数種類のリンカー分子を固定化するようにしてもよい。こうすれば、回収時、リンカー分子の開裂条件を変えることで、選択的にリンカー分子を開裂させて、選択的に標的分子を回収することができるようになる。
【００３１】
＜ステップ（２）＞  次に、リンカー分子２００にプローブ核酸やタンパク質等のプローブ分子３００を固定化するステップについて説明する。
用いられるプローブ分子（リガンド）は、標的分子（評価したい分子）により異なる。
【００３２】
すなわち、ＤＮＡアレイの場合は、プローブ分子として、配列の分かっているオリゴヌクレオチドやcDNA（mRNAと相補的な塩基配列を持つDNA）を用いることができる。
【００３３】
タンパク検出用プロテインアレイ（Protein-detection array）の場合であれば、プローブ分子として抗体を用いることができる。また、抗体以外のプローブ分子としては、核酸やタンパク質の一部の配列をランダムに変化させて、特定の分子に結合するようにセレクションしたアプタマーを用いることができる。アプタマーは、抗体よりもセレクションが容易で効率がよい。
【００３４】
また、タンパク質の機能解析用のプロテインアレイ（Protein-function array）の場合であって、タンパク質間、タンパク質−小分子、タンパク質−薬物、タンパク質−核酸などの相互作用や酵素活性を評価したい場合は、その組み合わせの片方の物質をプローブ分子とし、他方を標的分子とすればよい。
【００３５】
また、酵素の基質探しや阻害剤の探索のためペプチドアレイであれば、プローブ分子として、基質や阻害剤を用いることができる。
【００３６】
プローブ分子の固定化は、プローブ分子を溶解させた溶液を、リンカー分子を固定化させた基板表面に、塗布、点着等することにより行う。基板に溶液を点着したら、そのまま１時間〜１日間保持する。そして、その後、乾燥させることにより、プローブ分子を固定化した基板を得ることができる。
【００３７】
なお、点着後に水溶液や有機溶媒等で洗浄することにより、固定化に寄与していない余分なプローブ分子を除去し、固定化量を均一にすることができる。
【００３８】
また、異なる種類のプローブ分子を、パターニング等により、基板の特定の位置に固定化するようにしてもよい。こうすれば、同時に他項目にわたる網羅的解析、コンビナトリアル解析が可能になる。
【００３９】
また、上記では、基板に、リンカー分子を固定化してからプローブ分子を固定化している。これに限らず、リンカー分子の固定化とプローブ分子の固定化を同時に行ってもよい。
【００４０】
＜ステップ（３）＞  次に、プローブ分子３００に標的分子４００の結合を試みるステップについて説明する。上記の通り、解析の目的によってプローブ分子３００と標的分子４００の組み合わせは異なる。
【００４１】
例えば、ＤＮＡアレイの場合は、標的分子は、ＤＮＡやＲＮＡである。タンパク質検出プロテインアレイの場合は、標的分子はタンパク質である。タンパク質の機能解析用のプロテインアレイの場合は、相互作用や酵素活性を評価したい、タンパク質間、タンパク質−小分子、タンパク質−薬物、タンパク質−核酸などの組み合わせの片方の物質が標的分子となる。ペプチドアレイの場合は、プローブ分子が基質や阻害剤であれば、標的分子は、酵素となる。
【００４２】
標的分子は、溶媒とともに基板表面にスポットされることにより、プローブ分子との結合が試みられる。スポット後、所定時間放置した後、溶媒で洗浄される。標的分子がプローブ分子に結合したかどうかで、ＤＮＡの配列情報、タンパクの検出、抗体との相互作用、酵素活性等を知ることができる。
【００４３】
なお、標的分子を蛍光標識等しておけば、アレイ上のどのプローブ分子と結合したかを容易に判断することができる。また、蛍光強度により、その量を測ることができる。
【００４４】
＜ステップ（４）＞  次に、固定化した標的分子４００を回収するステップについて説明する。上記のとおり、リンカー分子２００は、何らかの作用で開裂する部位２２０を有している。そこで、開裂条件を与えることにより、リンカー分子２００の開裂部２２０を開裂さて、標的分子４００をプローブ分子３００とともに基板１００から脱離させ回収する。
【００４５】
例えば、光照射により開裂するリンカー分子が固定化されている基板である場合、光照射を行う。このとき、開裂に適した波長の光を照射するとよい。
【００４６】
なお、架橋の切断の条件を与える際、標的分子やプローブ分子の構造が壊れない条件で行うのが好ましい。
【００４７】
脱離した標的分子は、基板を適当な溶媒で洗浄することにより、回収することができる。
【００４８】
なお、開裂条件が異なる複数種類のリンカー分子が固定化された基板の場合、開裂条件を変えることで、選択的にリンカー分子を開裂させて、標的分子を回収することができる。
【００４９】
例えば、光照射で開裂するリンカー分子と、２−メルカプトエタノール等の還元剤により開裂するリンカー分子とが固定化された基板の場合、まず、光照射により、一部の特定の標的分子をプローブ分子とともに回収できる。そして、還元剤により、その他の標的分子をプローブ分子とともに回収することができる。
【００５０】
以上、標的分子を回収するまでのステップを説明した。
【００５１】
回収された標的分子は、他の分析やアプリケーションに用いることができる。例えば、電気泳動分析や質量分析（ＴＯＦ−ＭＳ等）の試料とすることができる。また、特定遺伝子を細胞へ導入し発現させる等のアプリケーションに用いることができる。
【００５２】
なお、回収した標的分子は、リンカー分子の破片やプローブ分子などが付加されているが、付加されたものが分かっているので、その分を差し引いて分析等の評価をすればよい。
【００５３】
＜第二の実施形態＞  次に第二の実施形態について説明する。第二の実施形態は、上記第一の実施形態の分析方法を実行する分析システムに関する。
【００５４】
図２は、第二実施形態にかかる分析システムの概略を示す構成図である。図示するように、本実施形態の分析システム１は、基板受入部１１と、リンカー分子固定化装置１２と、プローブ分子固定化装置１３と、標的分子結合試験装置１４と、回収装置１５とからなる。
【００５５】
基板受入部１１は、リンカー分子２００が固定化される前の基板１００を受け入れる部分で、基板１００を支持する治具を備える。なお、基板１００に限らず、アレイの担体となるものでその形状に制限はない。
【００５６】
リンカー分子固定化装置１２は、リンカー分子２００となる物質を、基板１００表面に塗布、点着等して、固定化させる装置である。第一実施形態で説明した、基板１００へのリンカー分子２００の固定化ステップの一連のステップを行う機能を有する。
【００５７】
プローブ分子固定化装置１３は、プローブ分子３００をリンカー分子２００に固定化させる装置である。第一実施形態で説明した、プローブ分子３００の固定化ステップの一連のステップを行う機能を有する。
【００５８】
標的分子結合試験装置１４は、標的分子（評価対象物質）４００とプローブ分子３００との結合を試みる装置である。第一実施形態で説明した、標的分子４００の結合を試みるステップの一連のステップを行う機能を有する。
【００５９】
回収装置１５は、リンカー分子２００を開裂させる条件を与え、標的分子４００を回収する装置である。第一実施形態で説明した、標的分子４００の回収ステップの一連のステップを行う機能を有する。
【００６０】
なお、分析システム１は、バインディング状態（位置や色など）を観察するための顕微鏡等の観察装置を備えていてもよいし、自動で観察し観察結果を解析し出力する装置を備えていてもよい。
【００６１】
このように構成される分析システム１は、ＤＮＡアレイ、プロテインアレイ、ペプチドアレイ等によりバインディングアッセイ後、他の分析やアプリケーションに使用できる形で、標的分子を回収する。
【００６２】
なお、分析システム１は、上記の全ての装置を備える必要はなく、一部の装置を有するものであってもよい。例えば、基板受入部１１は、予めリンカー分子２００が固定化された基板１００、又は、リンカー分子２００とプローブ分子３００が固定化された基板１００を受け入れるようにしてもよい。
【００６３】
また、分析システム１は、電気泳動分析装置、質量分析装置等の他の分析装置を備えるようにしてもよい。そして、回収装置１５により回収された試料を、必要な処理を施した後、さらに他の分析を行うようにしてもよい。
【００６４】
以上、本発明のいくつかの実施形態について説明したが、本発明はその要旨の範囲内でさまざまな変形が可能である。
【００６５】
例えば、上記実施形態では、リンカー分子が、特定の条件の下で開裂することにより、標的分子を回収するようにしている。これに限らず、特定の条件で開裂するプローブ分子を用いて、プローブ分子を開裂させることにより、標的分子を回収するようにしてもよい。
【００６６】
例えば、プローブ分子が、下記のような構造を有する場合、光照射により開裂させることができる。
【００６７】
【化１】
2006084216.tif 000003
【００６８】
【化２】
2006084216.tif 000004
【実施例１】
【００６９】
次に、本発明について、実施例からより詳しく説明するが、本発明は下記の実施例のみに限定されるものではない。
【００７０】
＜実施例１＞
１．リンカー分子の固定化
１−１．  4-(4-アセチル-2-メトキシ-5-ニトロフェノキシ)ブタン酸の合成
１−１−１．  メチル  4-(4-アセチル-2-メトキシフェノキシ)ブタノエートの合成（C.P.Holmes, J.O.C.,62,2370(1997)を参考にして合成を行った）
【００７１】
【化３】
2006084216.tif 000005
【００７２】
4'-ヒドロキシ-3'-メトキシアセトフェノン（和光純薬社製，41.00g, 246.7 mmol）と、メチル 4-ブロモブチレート（和光純薬社製，49.63 g , 274.1 mmol）と、炭酸カリウム（和光純薬社製，51.1g,  370mmol）とをジメチルホルムアミド200mlに入れ、室温にて一晩攪拌した。得られた反応液を、水にあけ反応を停止した後、酢酸エチル５００ｍｌにて抽出し、有機相を水、飽和塩化ナトリウム水溶液の順で洗浄し、無水硫酸マグネシウムにて乾燥を行った。有機相を、ろ別後、溶媒を減圧留去して、メチル  4-(4-アセチル-2-メトキシフェノキシ)ブタノエートを９５％の収率で得た。本化合物の構造は、プロトン核磁気共鳴スペクトル（1H-NMR）により確認した。
【００７３】
１H-NMR （３００MHｚ，CDCl3， δppm）；2.19（4重線，２H），2.56（３重線，２H），2.60（１重線，３H），3.70（１重線，３H），3.91（１重線，３H），4.15（３重線，２H），6.89（２重線，１H），7.51-7.78（多重線，２H）
【００７４】
１−１−２．  メチル  4-(4-アセチル-2-メトキシ-5-ニトロフェノキシ)ブタノエートの合成
【００７５】
【化４】
2006084216.tif 000006
【００７６】
メチル  4-(4-アセチル-2-メトキシフェノキシ)ブタノエート（5.0g，18.8 mmol）を無水酢酸３０ｍｌに溶解した。氷冷しながら、70％硝酸（100ml）を徐々に加えた。3時間室温にて攪拌した後、反応物を氷水に投入した。析出物をろ過により回収し、メタノール-水から再結晶を行い、メチル  4-(4-アセチル-2-メトキシ-5-ニトロフェノキシ)ブタノエートを収率６６％で得た。本化合物の構造は、プロトン核磁気共鳴スペクトル（1H-NMR）により確認した。
【００７７】
１H-NMR （３００MHｚ，CDCl3， δppm）；2.20（4重線，２H），2.49（３重線，２H），2.56（１重線，３H），3.70（１重線，３H），3.95（１重線，３H），4.15（３重線，２H），6.75（２重線，１H），7.67（１重線，1H）．
１−１−３．  4-(4-アセチル-2-メトキシ-5-ニトロフェノキシ)ブタン酸の合成
【００７８】
【化５】
2006084216.tif 000007
【００７９】
メチル  4-(4-アセチル-2-メトキシ-5-ニトロフェノキシ)ブタノエート（2.44ｇ，7.84 mmol）を1規定水酸化ナトリウム水溶液-メタノール（1対１）混合液100ｍｌに溶解した。これを１昼夜、室温にて攪拌したのち、塩酸を加えてｐHを２に調整後、酢酸エチルにて抽出した。有機相を水、飽和塩化ナトリウムの順で洗浄し、無水硫酸マグネシウムにて乾燥した。その後、有機溶媒を減圧留去し、残渣をシリカゲルカラムクロマトグラフィーにて単離精製して、4-(4-アセチル-2-メトキシ-5-ニトロフェノキシ)ブタン酸を９７％の収率にて得た。本化合物の構造は，プロトン核磁気共鳴スペクトル（1H-NMR）により確認した。
【００８０】
１H-NMR （３００MHｚ，CDCl3， δppm）；2.20（4重線，２H），2.49（３重線，２H），2.56（１重線，３H），3.70（１重線，３H），3.95（１重線，３H），4.15（３重線，２H），6.75（２重線，１H），7.67（１重線，1H）．
【００８１】
１−２．ガラス基板表面上へのアミノ基の導入
【００８２】
【化６】
2006084216.tif 000008
【００８３】
ガラス平板（松浪硝子工業社製・NEOカバーグラス 24×32）を有機溶剤（メタノール等）、純水、酸性水溶液（硫酸-過酸化水素混合液等）の順で十分に洗浄した後、1規定水酸化ナトリウム水溶液に1分間浸した。そして、純水、１規定塩酸、純水、メタノールの順に十分に洗浄した。ガラス平板をトリメトキシ−アミノプロピルシラン（和光純薬社製）の５％エタノール溶液に2時間、室温にて浸した。その後、水−エタノール（１対１）混合溶液にて十分に洗浄した後、窒素雰囲気下、１５０℃にて２時間保持した。
【００８４】
１−３．  4-(4-アセチル-2-メトキシ-5-ニトロフェノキシ)ブタン酸の固定化
【００８５】
【化７】
2006084216.tif 000009
【００８６】
５％  4-(4-アセチル-2-メトキシ-5-ニトロフェノキシ)ブタン酸のジメチルホルムアミド溶液を調製した。５％塩酸1-エチル-3-(3-ジメチルアミノプロピル)カルボジイミド（同仁化学研究所社製）および５％トリエチルアミンジメチルホルムアシド溶液を調製し、三種溶液を等量混合し、反応液を調製し、この中に、アミノ基の形成処理を施したガラス平板を浸し、室温にて１昼夜放置した。その後，メタノール、純水、メタノールの順にて洗浄をし、乾燥をおこなった．
【００８７】
１−４．  還元反応
【００８８】
【化８】
2006084216.tif 000010
【００８９】
水素化ホウ素ナトリウム（和光純薬社製，166ｍｇ）をテトラヒドロフラン40ｍｌに溶解した溶液中へ、先に処理したガラス平板を浸し、室温にて一日放置した。その後、メタノール、純水、メタノールの順にて洗浄をし、乾燥をおこなった。
【００９０】
１−５．  クロロホルメート体の合成
【００９１】
【化９】
2006084216.tif 000011
【００９２】
窒素ガス雰囲気下、トリホスゲン（和光純薬社製，2.1g, 12.56 mmol）と炭酸カリウム（和光純薬社製，1.5g 5mmol）をトルエン１００ｍｌに溶解した。この溶液中へ、先に処理したガラス平板を浸して、2日間室温にて放置した。そして、エーテルにて十分に洗浄し、乾燥をおこなった。
【００９３】
２．  プローブ分子（蛍光色素標識化アミノ基導入核酸）の固定化
蛍光色素（Cy3）を5’末端に、炭素鎖（C6）を介してアミノ基を3’末端に修飾した9塩基からなる核酸鎖（日本ジーン社製）をpH7.0の100ｍMリン酸緩衝液（ジメチルホルホルムアミド20％含有）に溶解して、３ｍMの核酸溶液を調製した。この核酸溶液を金属製針を用いて、上記で作成したガラス平板上へスポットした。このまま一晩放置した後、水で十分に洗浄した。
蛍光顕微鏡下で蛍光色素（Cy3）からの蛍光を観察することにより、固定化を確認した。
【００９４】
３．  核酸のハイブリダイゼーション反応
先に固定化した核酸鎖と相補的配列をもった、蛍光色素（Cy５）を5’末端に修飾した9塩基からなる核酸鎖（エスペックオリゴ社製）を、５×SSC（クエン酸ナトリウム-食塩緩衝液、同仁化学研究所社製）−0.5％SDS(ドデシル硫酸ナトリウム、和光純薬社製)溶液に溶解させプローブ溶液を調製した。
【００９５】
先に核酸をスポットしたガラス平板へ、プローブ溶液を載せ、65℃にて20時間インキュベートを行い、交差反応を実施した。反応後、2×SSC-0.1%SDS溶液にて2回、0.2×SSC-0.2%SDS溶液にて４回洗浄した。蛍光顕微鏡により、Cy5からの蛍光を観察して、ハイブリダイゼーション反応が進行したこと確認した。
【００９６】
４．  光照射による回収
ハイブリダイゼーション反応後のガラス平板上の試料が載っている部分へ、紫外線（356ナノメートル光）照射装置（ウシオ電機社製，250ｋW高圧水銀灯-オプチプレックス装置）を使用して、紫外線を20分間照射した。
リン酸緩衝液（20％ジメチルホルムアミド含有）を用いて、光照射によるリンカー光開裂反応によって基板から脱離した核酸試料を回収した。回収した試料溶液を濃縮後、キャピラリー電気泳動装置において、2種の蛍光色素（Cy3とCy5）の検出することにより、目的の回収が達成できていることを確認した。
【００９７】
＜実施例２＞
１．  4-ブロモメチル-3-ニトロベンゾイックアシッド  スクシンイミドエステルの合成
【００９８】
【化１０】
2006084216.tif 000012
【００９９】
4-（ブロモメチル）安息香酸（東京化成社製，5g）を、氷冷しながら70％硝酸（100ml）に徐々に加えた。室温にて2時間攪拌した後、反応液を氷水へ投入して得られた析出物をろ別し、これをメチレンクロリド-ヘプタンから再結晶して、4-ブロモメチル-3-ニトロベンゾイックアシッドを得た。これを乾燥後、アセトニトリル20mlに溶解し、N-ヒドロキシスクシンイジド（和光純薬社製，1.05ｇ）とジシクロヘキシルカルボジイミド（和光純薬社製，2.15ｇ）を加えて一晩室温にて攪拌した。尿素誘導体をろ過にて除いた後に、溶媒を減圧留去し、得られた残渣をメチレンクロリド-ヘプタンから再結晶して4-ブロモメチル-3-ニトロベンゾイックアシッド  スクシンイミドエステルを得た。本化合物の構造は，プロトン核磁気共鳴スペクトル（1H-NMR）により確認した。
【０１００】
１H-NMR （３００MHｚ，CDCl3， δppm）；2.94（１重線，４H），4.87（１重線，２H），7.78（２重線，１H），8.34（2重線−２重線，１H），8.78（２重線，１H）．
【０１０１】
２．  ガラス平板への光開裂性リンカーを介した核酸の固定化
蛍光色素（Cy3）を5’末端に、炭素鎖（C6）を介してチオール基を3’末端に修飾した9塩基からなる核酸鎖（日本ジーン社製）を、pH7.0の100ｍMリン酸緩衝液（ジメチルホルホルムアミド20％含有）に溶解させて、３ｍMの核酸溶液を調製した。この溶液と、4-ブロモメチル-3-ニトロベンゾイックアシッド  スクシンイミドエステルのpH8.6の100ｍMリン酸緩衝液溶液の１０ｍM 溶液との同量混合液を調製した。そして、トリメトキシアミノプロピルシランを使用して表面へアミノ基を導入したガラス平板（松浪硝子工業社製・NEOカバーグラス 24×32）上へ、先に調製した混合溶液を、金属製針を用いてスポットした。このまま一晩放置した後、水で十分に洗浄した。
蛍光顕微鏡下で蛍光色素（Cy3）からの蛍光を観察することにより、固定化を確認した。
【０１０２】
３．核酸のハイブリダイゼーション反応
先に固定化した核酸鎖と相補的配列をもった、蛍光色素（Cy５）を5’末端に修飾した9塩基からなる核酸鎖（エスペックオリゴ社製）を、５×SSC（クエン酸ナトリウム-食塩緩衝液，同仁化学研究所社製）−0.5％SDS(ドデシル硫酸ナトリウム，和光純薬社製)溶液に溶解させプローブ溶液を調製した。
先に核酸をスポットしたガラス平板へ、プローブ溶液を載せ、65℃にて20時間インキュベートを行い、交差反応を実施した。反応後、2×SSC-0.1%SDS溶液にて2回，0.2×SSC-0.2%SDS溶液にて４回洗浄した後、蛍光顕微鏡により、Cy5からの蛍光を観察して、ハイブリダイゼーション反応が進行したこと確認した。
【０１０３】
４．  光照射による回収
ハイブリダイゼーション反応後のガラス平板上の試料が載っている部分へ、紫外線（356ナノメートル光）照射装置（ウシオ電機社製，250ｋW高圧水銀灯-オプチプレックス装置）を使用して、紫外線を20分間照射した。リン酸緩衝液（20％ジメチルホルムアミド含有）を用いて、光照射によるリンカー光開裂反応によって基板から脱離した核酸試料を回収した。回収した試料溶液を濃縮後、キャピラリー電気泳動装置において、2種の蛍光色素（Cy3とCy5）の検出することにより，目的の回収が達成できていることを確認した。
【図面の簡単な説明】
【０１０４】
【図１】図１は基板表面の拡大模式図である。
【図２】図２は分析システムの構成図である。
【符号の説明】
【０１０５】
１００…基板、２００…リンカー分子、３００…プローブ分子、４００…標的分子、１…システム、１１…基板受入部、１２…リンカー分子固定装置、１３…プローブ分子固定装置、１４…標的分子結合試験装置、１５…回収装置
【図１】
2006084216.tif 000013
【図２】
2006084216.tif 000014